(57)【特許請求の範囲】
【請求項１】
支持枠体（１１）と、この支持枠体（１１）に張設した捕集ネット（１２）とから成り、送風ファンを備えた空気調和機の吸込側に配置されて吸込空気の塵埃を捕集する空気調和機のエアフィルタにおいて、捕集ネット（１２）から風上側（９）への支持枠体（１１）の突出量を風下側（１０）への突出量よりも小さくして、その風上側（９）の面を平坦状に形成したことを特徴とする空気調和機のエアフィルタ。
【請求項２】
上記捕集ネット（１２）から風上側（９）への支持枠体（１１）の突出量を、約０．５ｍｍ以下としたことを特徴とする請求項１の空気調和機のエアフィルタ。
【請求項３】
上記捕集ネット（１２）の風上側（９）の面と、上記支持枠体（１１）の風上側（９）の面（１５）とが、略同一平面上にあることを特徴とする請求項１又は請求項２の空気調和機のエアフィルタ。
【発明の詳細な説明】
【０００１】
【発明の属する技術分野】
この発明は、吸込空気の塵埃を捕集する空気調和機のエアフィルタに関するものである。
【０００２】
【従来の技術】
空気調和機の室内機は、その本体ケーシング内に熱交換器と送風ファンとを備えている。そして送風ファンを駆動することによって吸込口から室内空気を吸い込み、これを熱交換器で加熱又は冷却して空調空気とした後、吹出口から再び室内へと吹き出すようになっている。ところが吸込口から吸い込もうとする室内空気には細かな塵埃が混入しているので、これをそのまま室内機内に吸い込むと、熱交換器の熱交換能力が低下したり、送風ファンの送風性能が低下したりするという不具合の原因となるおそれがある。そこで従来から上記吸込口にエアフィルタを設けて、このエアフィルタで吸込空気中に混入する塵埃を捕集することが図られている。
【０００３】
図４は、上記のようなエアフィルタの従来例を示す部分拡大斜視図である。このエアフィルタ４６は、全体の形状を維持するために所定の厚さを有して成された格子状の支持枠体４１に、微細な網目を有する捕集ネット４２を張設して成り、樹脂による一体成形で形成されている。上記エアフィルタ４６に対しては、矢印Ａの方向に吸込空気が流通する。従って同図におけるエアフィルタ４６の上側が風上側４９となり、下側が風下側５０となる。そして吸込空気に混入していた塵埃４３は、上記捕集ネット４２の風上側４９の面に捕集される。一方、剛性を確保するために上記支持枠体４１が所定の厚さを要するのは上記の通りであるが、上記エアフィルタ４６は、その風上側４９の面が前面パネルを介して室内に臨むこととなる。そのため所定の厚さを要する上記支持枠体４１は、上記捕集ネット４２から風上側４９への突出量ｈを風下側５０への突出量よりも多くして、その風上面４５が美麗面となるようにして空気調和機の外観性の向上が図られていた。
【０００４】
【発明が解決しようとする課題】
上記従来のエアフィルタ４６では、捕集ネット４２から風上側４９への支持枠体４１の突出量ｈは、約１．５〜２．０ｍｍ程度である。そのため捕集ネット４２と支持枠体４１との間には段差が形成されることとなるが、この段差部分に塵埃４３が付着することにより、捕集した塵埃４３を捕集ネット４２から除去するのが困難になるという問題があった。例えば掃除機を用いて上記塵埃４３を効率よく吸引除去しようとした場合、エアホース先端のブラシが上記段差部分に付着した塵埃４３にまで届かず、適切に塵埃４３の吸引除去ができないという問題が生じていた。そしてこのような場合には、上記段差部分に付着した塵埃４３を小型ブラシ等を用いて除去するという作業が、別途に必要となっていた。
【０００５】
この発明は上記従来の欠点を解決するためになされたものであって、その目的は、捕集した塵埃を捕集ネットから容易に除去することが可能な空気調和機のエアフィルタを提供することにある。
【０００６】
【課題を解決するための手段】
そこで請求項１の空気調和機のエアフィルタは、支持枠体１１と、この支持枠体１１に張設した捕集ネット１２とから成り、送風ファンを備えた空気調和機の吸込側に配置されて吸込空気の塵埃を捕集する空気調和機のエアフィルタにおいて、捕集ネット１２から風上側９への支持枠体１１の突出量を風下側１０への突出量よりも小さくして、その風上側９の面を平坦状に形成したことを特徴としている。
【０００７】
また請求項２の空気調和機のエアフィルタは、上記捕集ネット１２から風上側９への支持枠体１１の突出量を、約０．５ｍｍ以下としたことを特徴としている。
【０００８】
上記請求項１又は請求項２の空気調和機のエアフィルタでは、風上側９において支持枠体１１と捕集ネット１２との間には大きな段差は形成されず、従って捕集した塵埃を捕集ネット１２から容易に除去することが可能となる。
【０００９】
さらに請求項３の空気調和機のエアフィルタは、上記捕集ネット１２の風上側９の面と、上記支持枠体１１の風上側９の面１５とが、略同一平面上にあることを特徴としている。
【００１０】
上記請求項３の空気調和機のエアフィルタでは、捕集ネット１２からの上記塵埃の除去を、確実に容易とすることが可能となる。
【００１１】
【発明の実施の形態】
次に、この発明の空気調和機のエアフィルタの具体的な実施の形態について、図面を参照しつつ詳細に説明する。
【００１２】
図３は、上記エアフィルタが備えられた空気調和機の室内機を示す斜視図である。この室内機の本体ケーシング１は、前面グリル２と底フレーム３とを前後から嵌合させて構成され、その内部には、熱交換器、送風ファン等が備えられている。また上記前面グリル２の前面側が吸込口１６となり、この吸込口１６を覆うようにして２枚のエアフィルタ６、６が取り付けられている。そしてこのエアフィルタ６、６の前方にさらに前面パネル４が設けられるが、同図ではエアフィルタ６、６を明確に示すために、上記前面パネル４は本体ケーシング１に対して開いた状態で示している。さらに上記前面グリル２の下部側には吹出口１７が形成され、この吹出口１７には、空調空気の吹出方向を上下に変化させる水平フラップ５が設けられている。なお上記前面グリル２の端部には、電装品等の保守作業を行うためのサービス蓋７が設けられている。
【００１３】
図２は、上記エアフィルタ６を示す斜視図である。このエアフィルタ６は、全体の形状を維持するために所定の厚さを有して成る格子状の支持枠体１１に、微細な網目を有する捕集ネット１２を張設して成り、樹脂による一体成形で形成されている。上記エアフィルタ６に対しては、矢印Ａの方向に吸込空気が流通する。従って同図におけるエアフィルタ６の手前側が風上側９となり、向こう側が風下側１０となる。また上記エアフィルタ６には、その風下側１０の面に、抗菌、脱臭機能等を有する空気清浄フィルタユニット１８が取り付けられる。この空気清浄フィルタユニット１８は、フィルタ枠体１３に空気清浄フィルタ１４を設けて成るものであり、上記フィルタ枠１３が、上記支持枠体１１の風下側１０の面に取着される。そのため上記エアフィルタ６は、樹脂による一体成形を行う際に風上側９の面をキャビティ側とし、また風下側１０の面をコア側として、支持枠体１１の風下側１０の面に、上記フィルタ枠１３を取り付ける取付部材（図示せず）を突設している。
【００１４】
図１は、上記エアフィルタ６を示す部分拡大斜視図である。同図に示すエアフィルタ６に対しては、矢印Ａの方向に吸込空気が流通する。従って同図におけるエアフィルタ６の上側が風上側９となり、下側が風下側１０となる。また上記エアフィルタ６では、その剛性を確保して全体の形状を維持するため、支持枠体１１に所定の厚さを要するのは従来例と同様であるが、このエアフィルタ６の支持枠体１１では、上記捕集ネット１２から風上側９への突出量ｈを捕集ネット１２から風下側１０への突出量よりも小さくし、約０．５ｍｍ程度以下となるようにしている。
【００１５】
上記のような空気調和機において、室内機の本体ケーシング１内に備えられた送風ファンを駆動すると、前面パネル４を介して室内空気が吸い込まれる。このときエアフィルタ６、６によって室内空気に混入する塵埃が除去され、そして塵埃が除去された室内空気は吸込口１６から本体ケーシング１内に流入し、熱交換器で熱交換されて空調空気となった後、吹出口１７から再び室内に吹き出される。上記において室内空気に混入していた塵埃は、上記エアフィルタ６を構成する捕集ネット１２の風上側９の面で捕集される。上記エアフィルタ６では、捕集ネット１２から風上側９への支持枠体１１の突出量ｈを約０．５ｍｍ程度以下の小さなものとしているから、風上側９において捕集ネット１２と支持枠体１１との間に大きな段差が形成されることはなく、エアフィルタ６の風上側９の面は平坦状に形成されている。従って掃除機を用いることによって、捕集された塵埃を効率よく確実に吸引除去することができる。また上記支持枠体１１は、捕集ネット１２よりも風下側１０に十分な厚みを持たせている。従って支持枠体１１は十分な剛性を有し、エアフィルタ６の全体の形状を確実に維持することができる。さらに上記エアフィルタ１１は、空気清浄フィルタユニット１８を取り付けるための取付部材が突設される風下側１０の面を、樹脂による一体成形を行う際にコア側としている。従ってその成形を容易とすることができる。
【００１６】
以上にこの発明の具体的な実施の形態について説明したが、この発明は上記形態に限定されるものではなく、この発明の範囲内で種々変更して実施することができる。上記では捕集ネット１２から風上側９への支持枠体１１の突出量ｈを、約０．５ｍｍ程度以下とする必要がある。このとき図１に示すように上記突出量ｈをいくらかでも確保しておくと、支持枠体１１の風上面１５を美麗面とすることも比較的に容易となる。従って捕集した塵埃の除去を容易としつつ、室内機の外観性の向上を図ることができる。一方、上記突出量ｈを略ゼロとして、捕集ネット１２の風上側９の面と支持枠体１１の風上面１５とが略同一平面上にあるようにすると、捕集した塵埃の除去を一段と容易とすることができる。また上記では捕集ネット１２から風上側９への支持枠体１１の突出量ｈよりも風下側１０への突出量を大きくして、支持枠体１１の剛性の確保を図っている。しかしながら他の手法によって支持枠体１１の剛性が確保できる場合や、支持枠体１１にさほどの剛性が必要とされない場合には、風下側１０への上記突出量が風上側９への突出量よりも必ずしも大きくなくてもよい。
【００１７】
【発明の効果】
上記請求項１又は請求項２の空気調和機のエアフィルタでは、風上側において支持枠体と捕集ネットとの間には大きな段差は形成されず、従って捕集した塵埃を捕集ネットから容易に除去することが可能となる。
【００１８】
さらに請求項３の空気調和機のエアフィルタでは、捕集ネットからの上記塵埃の除去を、確実に容易とすることが可能となる。
【図面の簡単な説明】
【図１】この発明の空気調和機のエアフィルタを示す部分拡大斜視図である。
【図２】上記エアフィルタ及び空気清浄フィルタユニットを示す斜視図である。
【図３】上記エアフィルタが備えられた空気調和機の室内機を示す斜視図である。
【図４】従来例の空気調和機のエアフィルタを示す部分拡大斜視図である。
【符号の説明】
９  風上側
１０  風下側
１１  支持枠体
１２  捕集ネット
【図１】
0003787967.tif 000002
【図２】
0003787967.tif 000003
【図３】
0003787967.tif 000004
【図４】
0003787967.tif 000005